(57)【要約】【課題】電子機器側のリモコンＩＤとリモコン側のリモコンＩＤとが不一致である場合に、簡単なユーザ操作によりＩＤ不一致のリモコンの操作に応じた電子機器の動作を行わせる。【解決手段】電子機器１１１は、第１のリモコン識別情報を保持する記憶手段１１６と、第１のリモコン識別情報を含む第１のリモコン信号を受信することに応じて、該第１のリモコン信号に含まれる操作情報に対応する動作を行う制御手段１１３とを有する。制御手段は、該電子機器の電源非投入状態において、第１のリモコン識別情報とは異なる第２のリモコン識別情報を含む第２のリモコン信号を受信することに応じて所定時間のカウントを開始し、該所定時間内に特定操作情報を含む第２のリモコン信号を受信することに応じて、第２のリモコン信号に含まれる操作情報に対応した動作を行わない第１の状態から第２のリモコン信号に含まれる操作情報に対応する動作を行う第２の状態に移行する。【選択図】図１
2016134762.tif 000002
【特許請求の範囲】
【請求項１】
リモコン信号を受信可能な電子機器であって、
第１のリモコン識別情報を保持する記憶手段と、
前記第１のリモコン識別情報を含む第１のリモコン信号を受信することに応じて、該第１のリモコン信号に含まれる操作情報に対応する動作を行う制御手段とを有し、
前記制御手段は、該電子機器の電源非投入状態において、
前記第１のリモコン識別情報とは異なる第２のリモコン識別情報を含む第２のリモコン信号を受信することに応じて所定時間のカウントを開始し、
前記所定時間内に特定操作情報を含む前記第２のリモコン信号を受信することに応じて、前記第２のリモコン信号に含まれる操作情報に対応した動作を行わない第１の状態から前記第２のリモコン信号に含まれる操作情報に対応する動作を行う第２の状態に移行することを特徴とする電子機器。
【請求項２】
前記電源非投入状態において情報の表示が可能な表示手段を有しており、
前記制御手段は、前記電源非投入状態において前記第１のリモコン識別情報とは異なる第２のリモコン識別情報を含む第２のリモコン信号を受信することに応じて、前記第１のリモコン識別情報に対応する情報を前記表示手段に表示させることを特徴とする請求項１に記載の電子機器。
【請求項３】
前記特定操作情報は、前記第１のリモコン識別情報に対応する情報を入力するリモコン操作に応じた操作情報であることを特徴とする請求項２に記載の電子機器。
【請求項４】
リモコン信号を受信可能な電子機器であって、
第１のリモコン識別情報を保持する記憶手段と、
前記第１のリモコン識別情報を含む第１のリモコン信号を受信することに応じて、該第１のリモコン信号に含まれる操作情報に対応する動作を行う制御手段とを有し、
前記制御手段は、該電子機器の電源非投入状態において、
前記第１のリモコン識別情報とは異なる第２のリモコン識別情報を含む第２のリモコン信号を受信することに応じて所定時間のカウントを開始し、
前記所定時間内に該電子機器に設けられた特定操作手段が操作されることに応じて、前記第２のリモコン信号に含まれる操作情報に対応した動作を行わない第１の状態から前記第２のリモコン信号に含まれる操作情報に対応する動作を行う第２の状態に移行することを特徴とする電子機器。
【請求項５】
前記電源非投入状態において情報の表示が可能な表示手段を有しており、
前記制御手段は、前記電源非投入状態において前記第１のリモコン識別情報とは異なる第２のリモコン識別情報を含む第２のリモコン信号を受信することに応じて、前記第１のリモコン識別情報に対応する情報を前記表示手段に表示させることを特徴とする請求項４に記載の電子機器。
【請求項６】
前記特定操作手段は、前記第２のリモコン識別情報に対応する情報の入力が可能な操作手段であることを特徴とする請求項５に記載の電子機器。
【請求項７】
前記特定操作手段は、該電子機器の電源を投入するための操作手段であることを特徴とする請求項４または５に記載の電子機器。
【請求項８】
前記制御手段は、前記第２の状態での前記電源の遮断に応じて、該第２の状態から前記第１の状態に移行することを特徴とする請求項１から７のいずれか一項に記載の電子機器。
【請求項９】
リモコン信号を受信可能な電子機器であって、
第１のリモコン識別情報を保持する記憶手段と、
前記第１のリモコン識別情報を含む第１のリモコン信号を受信することに応じて、該第１のリモコン信号に含まれる操作情報に対応する動作を行う制御手段と、
該電子機器の電源非投入状態において情報の表示が可能な表示手段とを有し、
前記制御手段は、前記電源非投入状態において前記第１のリモコン識別情報とは異なる第２のリモコン識別情報を含む第２のリモコン信号を受信することに応じて、前記第１のリモコン識別情報に対応する情報を前記表示手段に表示させることを特徴とする電子機器。
【請求項１０】
前記表示手段は、点滅が可能な発光素子により構成されており、
前記制御手段は、前記表示手段の点滅の回数によって前記第１のリモコン識別情報に対応する情報を表示することを特徴とする請求項９に記載の電子機器。
【請求項１１】
リモコン信号を受信可能あり、第１のリモコン識別情報を保持する記憶手段を有する電子機器のコンピュータに、
前記第１のリモコン識別情報を含む第１のリモコン信号を受信することに応じて、該第１のリモコン信号に含まれる操作情報に対応する動作を行う処理と、
前記電子機器の電源非投入状態において、前記第２のリモコン信号を受信することに応じて所定時間のカウントを開始し、前記所定時間内に特定操作情報を含む前記第２のリモコン信号を受信することに応じて、前記第２のリモコン信号に含まれる操作情報に対応した動作を行わない第１の状態から前記第２のリモコン信号に含まれる操作情報に対応する動作を行う第２の状態に移行する処理とを行わせることを特徴とする電子機器制御プログラム。
【請求項１２】
リモコン信号を受信可能あり、第１のリモコン識別情報を保持する記憶手段を有する電子機器のコンピュータに、
前記第１のリモコン識別情報を含む第１のリモコン信号を受信することに応じて、該第１のリモコン信号に含まれる操作情報に対応する動作を行う処理と、
前記電子機器の電源非投入状態において、前記第１のリモコン識別情報とは異なる第２のリモコン識別情報を含む第２のリモコン信号を受信することに応じて所定時間のカウントを開始し、前記所定時間内に前記電子機器に設けられた特定操作手段が操作されることに応じて、前記第２のリモコン信号に含まれる操作情報に対応した動作を行わない第１の状態から前記第２のリモコン信号に含まれる操作情報に対応する動作を行う第２の状態に移行する処理とを行わせることを特徴とする電子機器制御プログラム。
【請求項１３】
リモコン信号を受信可能であり、第１のリモコン識別情報を保持する記憶手段と、電源非投入状態において情報の表示が可能な表示手段とを有する電子機器のコンピュータに、
前記第１のリモコン識別情報を含む第１のリモコン信号を受信することに応じて、該第１のリモコン信号に含まれる操作情報に対応する動作を行う処理と、
前記電源非投入状態において前記第１のリモコン識別情報とは異なる第２のリモコン識別情報を含む第２のリモコン信号を受信することに応じて、前記第１のリモコン識別情報に対応する情報を前記表示手段に表示させる処理とを行わせることを特徴とする電子機器制御プログラム。
【発明の詳細な説明】
【技術分野】
【０００１】
本発明は、リモートコントローラ（以下、リモコンという）から受信するリモートコントロール信号（以下、リモコン信号という）に応じて各種動作を行う電子機器に関する。
【背景技術】
【０００２】
リモコンと該リモコンからのリモコン信号に応じて動作する電子機器とを対応付けるために、リモコン信号に、そのリモコン信号を送信したリモコンを識別するための識別情報（以下、リモコンＩＤという）が含まれることが多い。特許文献１には、リモコンＩＤと電子機器の動作を指示する操作情報（制御コード）とを含むリモコン信号を受信すると、リモコンＩＤを解読してそのリモコン信号が自らが保持しているリモコンＩＤと一致するか否かを判定する電子機器が開示されている。該電子機器は、リモコンＩＤが一致すると判定した場合には該リモコン信号に含まれる制御コードに対応した動作を行う。
【０００３】
一方、リモコンＩＤが一致しないと判定した電子機器は動作しない。ただし、リモコンを操作しているユーザにとっては、電子機器が動作しない理由がリモコンＩＤの不一致によるものなのか、リモコンの電池切れによるものなのか、リモコン信号が電子機器に到達しなかったためなのかが分かり難い。このため、特許文献２には、リモコンＩＤが不一致であることを表示することが可能な電子機器が開示されている。
【０００４】
さらに、特許文献３には、リモコンからのリモコン信号の受信とともに電子機器の操作キーが操作されることに応じて、そのリモコンのリモコンＩＤを新たに登録し、それ以降は該リモコンの操作に応じた動作を行う電子機器が開示されている。
【先行技術文献】
【特許文献】
【０００５】
【特許文献１】特開平０２−０９８２９９号公報
【特許文献２】特開２００９−２３９７２０号公報
【特許文献３】特開２０１２−１２９６８２号公報
【発明の概要】
【発明が解決しようとする課題】
【０００６】
リモコンと電子機器のリモコンＩＤが不一致である場合には、リモコン側のリモコンＩＤと電子機器側のリモコンＩＤのうち一方を変更する必要がある。ただし、電子機器の電源が投入されていない状態では、まずリモコンを通して電子機器の電源を投入することができないため、リモコン側のリモコンＩＤを変更するのが一般的である。しかしながら、リモコン側のリモコンＩＤを変更するにしても、ユーザには変更後のリモコンＩＤとしてどのリモコンＩＤを選択すればよいかを容易に判断することができない。このため、従来、ユーザは、リモコンＩＤを変更した後にリモコンを操作してみるという試行を電子機器が反応するまで繰り返す必要があった。
【０００７】
また、特許文献３にて開示された電子機器では、リモコンと電子機器のリモコンＩＤが不一致状態となっていることをユーザが知っていることを前提として、電子機器への新たなリモコンＩＤの登録と該リモコンの操作を通じた電子機器の動作とを可能とするものである。このため、リモコンＩＤの不一致を知らないユーザが容易に現在操作しているリモコンを通じて電子機器を動作させることはできない。
【０００８】
本発明は、電子機器側のリモコンＩＤとリモコン側のリモコンＩＤとが不一致である場合に、簡単なユーザ操作によりＩＤ不一致のリモコンの操作に応じた動作を行ったり、電子機器側のリモコンＩＤをユーザに明示したりすることが可能な電子機器を提供する。
【課題を解決するための手段】
【０００９】
また、本発明の一側面としての電子機器は、第１のリモコン識別情報を保持する記憶手段と、第１のリモコン識別情報を含む第１のリモコン信号を受信することに応じて、該第１のリモコン信号に含まれる操作情報に対応する動作を行う制御手段とを有する。そして、制御手段は、該電子機器の電源非投入状態において、第１のリモコン識別情報とは異なる第２のリモコン識別情報を含む第２のリモコン信号を受信することに応じて所定時間のカウントを開始し、該所定時間内に特定操作情報を含む第２のリモコン信号を受信することに応じて、第２のリモコン信号に含まれる操作情報に対応した動作を行わない第１の状態から第２のリモコン信号に含まれる操作情報に対応する動作を行う第２の状態に移行することを特徴とする。
【００１０】
また、本発明の他の一側面としての電子機器は、第１のリモコン識別情報を保持する記憶手段と、第１のリモコン識別情報を含む第１のリモコン信号を受信することに応じて、該第１のリモコン信号に含まれる操作情報に対応する動作を行う制御手段とを有する。そして、制御手段は、該電子機器の電源非投入状態において、第１のリモコン識別情報とは異なる第２のリモコン識別情報を含む第２のリモコン信号を受信することに応じて所定時間のカウントを開始し、該所定時間内に該電子機器に設けられた特定操作手段が操作されることに応じて、第２のリモコン信号に含まれる操作情報に対応した動作を行わない第１の状態から第２のリモコン信号に含まれる操作情報に対応する動作を行う第２の状態に移行することを特徴とする。
【００１１】
また、本発明の他の一側面としての電子機器は、第１のリモコン識別情報を保持する記憶手段と、第１のリモコン識別情報を含む第１のリモコン信号を受信することに応じて、該第１のリモコン信号に含まれる操作情報に対応する動作を行う制御手段と、該電子機器の電源非投入状態において情報の表示が可能な表示手段とを有する。そして、制御手段は、電源非投入状態において第１のリモコン識別情報とは異なる第２のリモコン識別情報を含む第２のリモコン信号を受信することに応じて、第１のリモコン識別情報に対応する情報を表示手段に表示させることを特徴とする。
【００１２】
なお、上記電子機器のコンピュータに上述した処理を行わせるコンピュータプログラムとしての電子機器制御プログラムも、本発明の他の一側面を構成する。
【発明の効果】
【００１３】
本発明では、電源非投入状態の電子機器を、該電子機器にて保持されている第１のリモコン識別情報とは異なる第２のリモコン識別情報（第２のリモコン信号）を受信したときに、簡単なユーザ操作により第２のリモコン信号を受け付ける状態に移行させる。このため、本発明によれば、ユーザは容易に第２のリモコン信号を出力するリモコンを操作して電子機器の電源を投入したり電子機器に所望の動作を行わせたりすることができる。
【００１４】
また、本発明では、電源非投入状態の電子機器に、該電子機器にて保持されている第１のリモコン識別情報とは異なる第２のリモコン識別情報（第２のリモコン信号）を受信したときに第１のリモコン識別情報に対応する情報をユーザに対して明示させる。このため、本発明によれば、電子機器の電源が投入される前に、ユーザに対して、第１のリモコン識別情報に対応したリモコンを使用すべきことを容易かつ明確に知らせることができる。
【図面の簡単な説明】
【００１５】
【図１】本発明の実施例１であるプロジェクタおよびリモコンの構成を示すブロック図。
【図２】実施例１におけるリモコンの概略図。
【図３】実施例１におけるリモコン信号のコード構成、リモコンＩＤおよびキーコードとリモコン操作キーとの対応関係を示す図。
【図４】実施例１におけるリモコン信号のコード構成およびキーコードとリモコン操作キーとの対応関係を示す図。
【図５】実施例１におけるリモコン信号処理を示すフローチャート。
【図６】実施例１におけるリモコンＩＤ再登録処理を示すフローチャート。
【図７】実施例１におけるリモコンＩＤ再設定期間での処理を示す図。
【図８】実施例１における電源オフ処理を示すフローチャート。
【図９】本発明の実施例２におけるリモコンＩＤ再登録処理を示すフローチャート。
【発明を実施するための形態】
【００１６】
以下、本発明の実施例について図面を参照しながら説明する。
【実施例１】
【００１７】
図１には、本発明の実施例１である電子機器としての画像表示装置（直視型モニタやプロジェクタ等）１１１と、リモートコントロール装置（以下、リモコンという）１０１の構成を示している。なお、以下に説明する構成および処理は、画像表示装置以外の各種電子機器にて用いることも可能である。
【００１８】
図１において、リモコン１０１は、操作部としてのリモコンキー部１０２と、リモコン制御部１０３と、記憶部１０４と、通信（送信）部１０７とを有する。記憶部１０４は、キーコード記憶部１０５とリモコンＩＤ記憶部１０６とを有する。
【００１９】
キーコード記憶部１０５は、リモコンキー部１０２に設けられた個々の操作部材であるキー（図示せず）に対応した操作情報であるキーコードを記憶（保持）している。また、リモコンＩＤ記憶部１０６は、個々のリモコンを識別するための識別情報であるリモコン識別情報（以下、リモコンＩＤという）を保持している。さらに、記憶部１０４は、リモコン１０１のメーカーを識別するための識別情報であるメーカーＩＤ、ヘッダおよびフッタ等の各種情報も保持している。
【００２０】
リモコン制御部１０３は、メーカーＩＤ、リモコンＩＤ、キーコード、ヘッダおよびフッタを含むリモコンコードを生成する。通信部１０７は、リモコン制御部１０３にて生成されたリモコンコードに応じて赤外線等の光や電磁気信号を変調することによりリモコン信号を生成し、これを画像表示装置１１１に対して送信する。
【００２１】
一方、画像表示装置１１１は、通信部（受信）１１２と、本体制御部（制御手段）１１３と、本体キー部１１７と、状態表示部（表示手段）１１８と、映像入力部１１９と、画像処理部１２０と、映像表示部１２１とを有する。
【００２２】
通信部１１２は、上述した光や電磁気信号としてのリモコン信号を受信可能であり、受信したリモコン信号を電気信号に変換して本体制御部１１３に出力する。本体制御部１１３は、ＣＰＵ、ＲＯＭ、ＲＡＭ、Ｉ／Ｏおよび二次メモリ等を含むコンピュータとして構成され、リモコンＩＤ判定部１１４と、キーコード処理部１１５と、リモコンＩＤ記憶部（記憶手段）１１６とを有する。リモコンＩＤ記憶部１１６は、画像表示装置１１１のメーカーを識別するための識別情報であるメーカーＩＤと、リモコン信号を受付け可能なリモコンに対応したリモコンＩＤ（第１のリモコン識別情報）とを保持（記憶）している。リモコンＩＤ判定部１１４およびキーコード処理部１１５については後に詳しく説明する。また、本体制御部１１３は、画像表示装置１１１における全ての動作を制御する。
【００２３】
映像入力部１１９は、画像表示装置１１１に外部から入力された各種映像フォーマットの映像信号１２２を画像処理部１２０にて処理できるフォーマットのデータに変換するデコード機能を有する。画像処理部１２０は、映像入力部１１９から入力された映像データに対して、解像度変換、色調整、輪郭調整およびフレームレート変換等の画像処理を行い、該画像処理により生成された表示用映像データを映像表示部１２１に出力する。
【００２４】
映像表示部１２１は、液晶表示パネル（直視型モニタまたは液晶プロジェクタの場合）およびデジタルマイクロミラーデバイス（ミラー反射プロジェクタの場合）等の表示デバイスとそのコントローラとを含み、画像処理部１２０からの表示用映像データを表示する。
【００２５】
状態表示部１１８は、ＬＥＤ（発光素子）とその駆動回路により構成され、ＬＥＤの点灯や点滅により画像表示装置１１１の状態（例えば後述するスタンバイ状態）や後述するリモコン番号を表示することができる。
【００２６】
図２には、リモコン１０１に設けられた操作キーの例を示している。２０２は画像表示装置１１１の電源をオン（投入）／オフ（遮断）するための電源キーである。ここにいう画像表示装置１１１の電源とは、いわゆる主電源ではなく副電源である。この副電源がオフされると、画像表示装置１１１は映像表示部１２１での映像の表示は行わないが、リモコン信号の受け付けは可能な電源非投入状態（以下、スタンバイ状態という）となる。
【００２７】
２０３，２０４，２０５，２０６は画像表示装置１１１の映像表示部１２１に表示されたメニュー等において上、左、右および下への移動を選択するための方向キーであり、２０７は該メニューにおける選択項目を決定するための決定キーである。２０８，２０９，２１０，２１１は数値（１〜４）を入力するための数値キーである。
【００２８】
図３には、リモコン１０１から画像表示装置１１１に対して送信されるリモコン信号のコード構成を示している。３０１がヘッダ、３０２がメーカーＩＤ、３０３がリモコンＩＤ、３０４がキーコード、３０５がフッタである。リモコン信号には、必要に応じて、データ伝送の信頼性を上げるためにエラー検出やエラー訂正等の補助情報を付加することもできる。
【００２９】
リモコンＩＤ３０３としては、例えば表３１１で示すように、それぞれ１バイトのデータにより構成された「０１ｈ」から「０４ｈ」までの４つのリモコンＩＤがある。これら４つのリモコンＩＤが４台のリモコンのそれぞれに１つずつ割り当てられる。リモコン１０１は割り当てられたリモコンＩＤをリモコンＩＤ記憶部１０６にて保持している。
【００３０】
また、キーコードとしては、例えば表３１２に示すように、それぞれ１バイトのデータにより構成された「０１ｈ」から「０Ｆｈ」までの複数のキーコードが設けられている。リモコン１０１に設けられた複数の操作キーのそれぞれに、これらのキーコードが１つずつ割り当てられている。例えば、電源キー２０２に対してはキーコード「０１ｈ」が、決定キー２０７に対してはキーコード「０Ｆｈ」が割り当てられている。
【００３１】
リモコン制御部１０３は、いずれかの操作キーが操作されるごとに、リモコンＩＤ記憶部１０６にて保持するリモコンＩＤと操作された操作キーに割り当てられたキーコードを含み、さらに前述したメーカーＩＤやヘッダ、フッタを含むリモコンコードを生成する。これにより、該リモコンコードに応じたリモコン信号が画像表示装置１１１に対して送信される。
【００３２】
図４には、図３に示したリモコン信号のコード構成とは別のリモコン信号のコード構成を示している。図４において、ヘッダ３０１、メーカーＩＤ３０２およびフッタ３０５については図３のコード構成と同じであるが、キーコード４０１は、リモコンＩＤとキーコードとを融合したコードである。キーコード４０１には、表４１１に示すように、「０１ｈ」から「０Ｆｈ」までのリモコンＩＤ１用のキーコードと、「１１ｈ」から「１Ｆｈ」までのリモコンＩＤ２用のキーコードとがある。また、キーコード４０１には、「２１ｈ」から「２Ｆｈ」までのリモコンＩＤ３用のキーコードと、「３１ｈ」から「３Ｆｈ」までのリモコンＩＤ４用のキーコードもある。リモコン１０１にリモコンＩＤ１が割り当てられている場合には、リモコン制御部１０３は、いずれかの操作キーが操作されるごとに、「０１ｈ」から「０Ｆｈ」までのキーコードのうち操作された操作キーに対応するキーコードを含むリモコンコードを生成する。図４に示すようなコード構成を用いることで、図３に示すようなコード構成を用いる場合に比べて、リモコン信号のデータ量を削減して、通信速度を上げることができる。
【００３３】
なお、図３および図４で説明したリモコンＩＤおよびキーコードの数やデータ構成は例にすぎず、他の数やデータ構成を有するリモコンＩＤおよびキーコードを用いてもよい。
【００３４】
図５のフローチャートには、画像処理装置１１１の本体制御部１１３が行うリモコン信号処理を示している。前述したようにコンピュータである本体制御部１１３は、コンピュータプログラムとしてのリモコン処理プログラム（電子機器制御プログラム）に従って以下の処理を実行する。
【００３５】
まず、本体制御部１１３は、ステップ５０１においてリモコン信号の受信待ち状態に入り、ステップ５０２においてヘッダからフッタまでを含むリモコン信号を受信したか否かを判定する。リモコン信号を受信した本体制御部１１３は、ステップ５０３に進む。
【００３６】
ステップ５０３では、本体制御部１１３は、受信したリモコン信号に含まれるメーカーＩＤを確認する。そして、ステップ５０４では、本体制御部１１３は、確認したメーカーＩＤから、受信したリモコン信号が自機（画像表示装置１１１）用のリモコンからのリモコン信号か否かを判定する。本体制御部１１３は、自機用のリモコンからのリモコン信号でなければステップ５０５に進んで受信したリモコン信号のデータを破棄し、さらにステップ５０１に戻って再度リモコン信号の受信待ち状態に入る。
【００３７】
一方、自機用のリモコンからのリモコン信号であれば、本体制御部１１３は、ステップ５０６に進む。ステップ５０６では、本体制御部１１３（リモコンＩＤ判定部１１４）は、受信したリモコン信号に含まれるリモコンＩＤを確認する。ここではリモコン信号に含まれるリモコンＩＤ（以下、受信リモコンＩＤという）がＸであるものとする。
【００３８】
続いて、ステップ５０７では、本体制御部１１３は、受信リモコンＩＤ（Ｘ）とリモコンＩＤ記憶部１１６にて保持しているリモコンＩＤ（ここではＹとし、以下、本体リモコンＩＤという）とが一致しているか否かを判定する。受信リモコンＩＤ（Ｘ）と本体リモコンＩＤ（Ｙ）とが一致する場合はステップ５０８に進む。
【００３９】
ステップ５０８では、本体制御部１１３は、本体リモコンＩＤに一致する受信リモコンＩＤ（第１のリモコン識別情報）に対応するリモコン（第１のリモコン）から受信したリモコン信号（第１のリモコン信号）におけるキーコードを確認する。そして、本体制御部１１３は、ステップ５０９において、ステップ５０８で確認したキーコードに対応した処理（動作）を行う。この後、本体制御部１１３はステップ５０５に進んで受信したリモコン信号のデータを破棄し、ステップ５０１に戻る。
【００４０】
一方、受信リモコンＩＤ（Ｘ）と本体リモコンＩＤ（Ｙ）とが不一致である場合（以下、本体リモコンＩＤ（Ｙ）と不一致の受信リモコンＩＤをＸ′と記す）は、本体制御部１１３はステップ５１０に進み、リモコンＩＤ再登録処理を行う。ただし、後述するように、リモコンＩＤ再登録処理による実際のリモコンＩＤの再登録が行われるのは、画像表示装置１１１がスタンバイ状態であるときである。この後、本体制御部１１３はステップ５０５に進んで受信したリモコン信号のデータを破棄し、ステップ５０１に戻る。
【００４１】
図６のフローチャートを用いて、ステップ５１０で行われるリモコンＩＤ再登録処理について説明する。
【００４２】
図５のステップ５０７で受信リモコンＩＤ（Ｘ′）と本体リモコンＩＤ（Ｙ）とが不一致であると判定した本体制御部１１３は、図６のステップ６０１に進む。ステップ６０１では、本体制御部１１３は、画像表示装置１１１がスタンバイ状態か否かを判定する。スタンバイ状態でない、つまりは画像表示装置１１１の電源（副電源）がオンされている電源投入状態であるときは、本体制御部１１３はそのままリモコンＩＤ再登録処理を終了して図５のステップ５０５に進む。
【００４３】
一方、画像表示装置１１１がスタンバイ状態であるときは、本体制御部１１３は、ステップ６０２に進み、リモコンＩＤの再登録を受け付ける所定時間（以下、再登録受付期間という）のカウントを開始する。そして、ステップ６０３に進む。このように、本実施例では、スタンバイ状態に限ってリモコンＩＤの再登録を受け付ける。これは、ユーザがリモコンによる画像表示装置１１１の操作が不能であることに気付くのは、リモコンを操作して画像表示装置１１１の電源をオフからオンにしようとするとき、すなわち画像表示装置１１１がスタンバイ状態にあるときが多いためである。また、画像表示装置１１１が電源投入状態であるときにはユーザがリモコンで多様なキー操作を行うことが多く、そのキー操作によってユーザが意図しないリモコンＩＤ再登録処理が行われることを避けるためでもある。
【００４４】
ステップ６０３では、図５のステップ５０７で受信および本体リモコンＩＤ（Ｘ′，Ｙ）が不一致と判定した本体制御部１１３は、その不一致と本体リモコンＩＤ（Ｙ）に対応するリモコン番号とをユーザに明示するために、状態表示部１１８のＬＥＤを点滅させる。具体的には、本体リモコンＩＤが図３の表３１１に示した「０Ｎｈ」（Ｎ＝１〜４）である場合は、該本体リモコンＩＤに対応する情報としてのリモコン番号「Ｎ」と同じ回数だけ状態表示部１１８のＬＥＤを点滅させる。本体制御部１１３は、このＬＥＤの点滅によるリモコン番号表示を、再登録受付期間内に所定の時間間隔をあけて複数回繰り返す。
【００４５】
図７には、本体リモコンＩＤが「０４ｈ」であり、リモコン番号「４」を状態表示部１１８のＬＥＤにより表示する様子を示している。ここでは、ＬＥＤがスタンバイ状態を示すために点灯している状態からリモコン番号「４」を表示するために消灯と点灯を交互に４回ずつ繰り返すように点滅する様子を示している。なお、図７中に括弧書きで示すように、ＬＥＤが消灯している状態からリモコン番号「４」を表示するために点灯と消灯を交互に４回ずつ繰り返すように点滅してもよい。また、７セグメントＬＥＤ等の数字を表示可能なデバイスを使用して、数字の表示を行ってもよい。
【００４６】
本実施例では、リモコンＩＤの再登録受付期間を約４秒に設定している。本体制御部１１３は、この再登録受付期間内にユーザがリモコン番号を認識するために適切な回数（数回）のリモコン番号表示（図７では４回のＬＥＤ点滅で約１秒）を適切な時間間隔で繰り返す。なお、再登録受付期間の長さやリモコン番号表示の回数や長さは適宜選択することができる。
【００４７】
図６のステップ６０５では、本体制御部１１３は、再登録受付期間のカウントが終了したか否か（すなわち所定時間内か否か）を判定する。再登録受付期間のカウントが終了した場合はステップ６０４に進み、リモコン番号表示を終了して図５のステップ５０５に進む。一方、再登録受付期間のカウントが終了していない場合は、ステップ６０６に進む。
【００４８】
ステップ６０６では、本体制御部１１３は、本体リモコンＩＤ（Ｙ）とは異なるリモコンＩＤ（第２のリモコン識別情報）（Ｘ′）を有するリモコン（第２のリモコン：以下、ＩＤ不一致リモコンともいう）からのリモコン信号（第２のリモコン信号）の受信を待つ。このステップ６０６での処理は、図５のステップ５０１からステップ５０７の処理と同じである。また、本体制御部１１３は、受信リモコンＩＤ（Ｘ′）をステップ５０７での判定時からリモコンＩＤ再登録処理が終了するまで保持している。
【００４９】
リモコン信号を受信した本体制御部１１３は、ステップ６０７において、そのリモコン信号がＩＤ不一致リモコンからのリモコン信号であるか否か（受信リモコンＩＤがＸ′であるか否か）を判定する。ＩＤ不一致リモコンからのリモコン信号でない場合はステップ６０５に戻り、再登録受付期間が終了するまでＩＤ不一致リモコンからのリモコン信号の受信を待つ。
【００５０】
一方、ＩＤ不一致リモコンからのリモコン信号である場合は、本体制御部１１３はステップ６０８に進む。ステップ６０８では、本体制御部１１３は、ＩＤ不一致リモコンからのリモコン信号におけるキーコードが所定のキーコード（特定操作情報）であるか否か、つまりはＩＤ不一致リモコンにて所定のキー操作（リモコン操作）が行われたか否かを判定する。ここでは、所定のキーコードとして、本体リモコンＩＤ（第１のリモコン識別情報）に対応するリモコン番号と同じ数字のキーコードとする。例えば、本体リモコンＩＤに対応するリモコン番号が「４」である場合は、図２に示した数値（４）キー２１１の操作によりリモコン信号に含まれることになる「４」を示すキーコードである。
【００５１】
なお、ＩＤ不一致リモコンに数値キーがない場合には、数値キーに代わる他のキー（例えば、４つの方向キーに１〜４を割り当てた場合の１つの方向キー）の操作に応じたキーコードであってもよい。また、所定のキーコードは、任意に設定することができる。
【００５２】
キーコードが所定のキーコードでなければ、本体制御部１１３はステップ６０５に戻り、所定のキーコードであればステップ６０９に進む。
【００５３】
ステップ６０９では、本体制御部１１３は、もともとリモコンＩＤ記憶部１１６にて保持していた本体リモコンＩＤを、復元用リモコンＩＤとして保持する。
【００５４】
そして、ステップ６１０では、本体制御部１１３は、本体リモコンＩＤを受信リモコンＩＤ（Ｘ′）と同じＹ′に設定し、これをリモコンＩＤ記憶部１１６に保持する。こうして本体リモコンＩＤとしてＹ′が新たに登録される。これにより、画像表示装置１１１は、ＩＤ不一致リモコンからのリモコン信号のキーコードに対応した動作を行わないそれまでの状態（第１の状態）から、同リモコンからのリモコン信号のキーコードに対応した動作を行う新たな状態（第２の状態）に移行する。
【００５５】
次にステップ６１１では、本体制御部１１３は、画像表示装置１１１がステップ６１０で新たに登録されたリモコンＩＤ（Ｘ′）を有するリモコンからのリモコン信号に応じた動作が可能となったことを示すため、画像表示装置１１１の電源（副電源）をオンにする。そして、本体制御部１１３は、ステップ６０４に進んでリモコンＩＤ再登録処理を終了し、図５のステップ５０５に進む。
【００５６】
図８のフローチャートを用いて、本体制御部１１３が行う画像表示装置１１１の電源オフ時の処理について説明する。リモコンＩＤ再登録処理により新たな本体リモコンＩＤ（Ｙ′）が登録されて画像表示装置１１１が使用された後、画像表示装置１１１の電源（ここでは副電源または主電源）がオフされるときには、本体リモコンＩＤを元のＹに戻した方が都合が良い場合がある。このため、ステップ８０１では、本体制御部１１３は、リモコンからのリモコン信号または本体キー部４４７の電源スイッチを通じて電源オフが指示されると、復元用リモコンＩＤ（Ｙ）がリモコンＩＤ記憶部１１６に保持されているか否かを確認する。復元用リモコンＩＤ（Ｙ）が保持されていない場合は、そのまま本処理を終了する。一方、復元用リモコンＩＤ（Ｙ）が保持されている場合は、ステップ８０２に進む。
【００５７】
ステップ８０２では、本体制御部１１３は、これまでの本体リモコンＩＤ（Ｙ′）を破棄して、復元用リモコンＩＤ（Ｙ）を再び本体リモコンＩＤに設定する。これにより、画像表示装置１１１は、リモコンＩＤ（Ｘ′）を有するリモコンからのリモコン信号のキーコードに対応した動作を行う状態（第２の状態）から、同リモコンからのリモコン信号のキーコードに対応した動作を行わない状態（第１の状態）に移行する。さらに言えば、リモコンＩＤ（Ｘ）を有するリモコンからのリモコン信号のキーコードに対応した動作を行う状態に復帰する。
【００５８】
そして、本体制御部１１３は、ステップ８０３において復元用リモコンＩＤ（Ｙ）をクリアし、本処理を終了する。
【００５９】
本実施例によれば、ユーザが操作しているリモコン（ＩＤ不一致リモコン）のリモコンＩＤが画像表示装置１１１にて設定されている本体リモコンＩＤと不一致である場合に、ユーザに対して本体リモコンＩＤに対応する情報を表示（明示）することができる。そして、この表示を見たユーザがＩＤ不一致リモコンに対して所定のキー操作を行うだけで、簡単にそのリモコンの操作に応じた動作を画像表示装置１１１に行わせるようにすることができる。本実施例は、画像表示装置１１１がリモコンを操作するユーザから離れた場所に設置されている状況にて特に有効である。
【実施例２】
【００６０】
図９には、本発明の実施例２である画像表示装置において行われるリモコンＩＤ再登録処理を示している。本実施例における画像表示装置の構成は実施例１の画像処理装置と同じであり、実施例１と共通する構成要素については実施例１と同符号を付して説明する。
【００６１】
図９において、ステップ６０１からステップ６０５およびステップ６０９からステップ６１１は、実施例１の図６における同じ符号を付したステップと同じである。
【００６２】
ステップ６０５において再登録受付期間（のカウント）が終了していないと判定した本体制御部１１３は、ステップ９０１に進み、画像表示装置１１１の本体キー部１１７におけるユーザ操作を待つ。そして、ユーザ操作が行われると、ステップ９０２において、本体制御部１１３は、そのユーザ操作が本体キー部１１７の所定のキー（特定操作手段）の操作であるか否かを判定する。所定のキーとしては、本体リモコンＩＤ（第１のリモコン識別情報）に対応するリモコン番号と同じ数字のキーとする。例えば、本体リモコンＩＤに対応するリモコン番号が「４」である場合は、「４」を示すキーである。また、所定のキーとして、画像表示装置１１１の電源をオンするための電源スイッチであってもよい。
【００６３】
所定のキーの操作でない場合はステップ６０５に戻る。一方、所定のキーの操作である場合は、本体制御部１１３は、実施例１にて説明したステップ６０９およびステップ６１０の処理を行う。これにより、画像表示装置１１１は、ＩＤ不一致リモコンからのリモコン信号のキーコードに対応した動作を行わないそれまでの状態（第１の状態）から、同リモコンからのリモコン信号のキーコードに対応した動作を行う新たな状態（第２の状態）に移行する。
【００６４】
さらに、本体制御部１１３は、ステップ６１１およびステップ６０４の処理を経て、図５のステップ５０５に進む。
【００６５】
本実施例でも、実施例１と同様に、ＩＤ不一致リモコンを操作するユーザに対して本体リモコンＩＤに対応する情報を表示する。そして、この表示を見たユーザが画像表示装置１１１にて所定のキー操作を行うだけで、簡単にそのリモコンの操作に応じた動作を画像表示装置１１１に行わせるようにすることができる。本実施例は、ユーザがＩＤ不一致リモコンに対する操作を行うことなく画像表示装置１１１に対する操作を行うだけで、そのリモコンの使用を可能とすることができる。このため、リモコンと画像表示装置１１１の両方の操作（さらには同時操作）を必要とする場合に比べて操作を容易にすることができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６６】
以上説明した各実施例は代表的な例にすぎず、本発明の実施に際しては、各実施例に対して種々の変形や変更が可能である。
【符号の説明】
【００６７】
１０１  リモコン
１１１  画像表示装置
１１３  本体制御部
１１６  リモコンＩＤ記憶部
１１８  状態表示部
【図１】
2016134762.tif 000003
【図２】
2016134762.tif 000004
【図３】
2016134762.tif 000005
【図４】
2016134762.tif 000006
【図５】
2016134762.tif 000007
【図６】
2016134762.tif 000008
【図７】
2016134762.tif 000009
【図８】
2016134762.tif 000010
【図９】
2016134762.tif 000011